(57)【要約】  ハンドバッグは、事実上どのようなデザインの取付け／取外し可能なハンドバッグカバーを使っても簡単に再デザインできる。同様に、適合性のあるハンドバッグは、種々の異なる、任意のデザインのハンドバッグの把持部を交換するように構成できる。よって、様々な型式の複数の様々なハンドバッグの購入を必然的に要求することなく、ハンドバッグは、外観および雰囲気の両方において簡単にカスタマイズできる。特に、使用者は１つだけ（または数個）の土台のハンドバッグ（複数可）を購入でき、ハンドバッグをカスタマイズするために、代替的に複数の異なるハンドバッグカバーおよび／またはハンドバッグの把持部を購入できる。ハンドバッグカバーは比較的小さく、簡単に保管できる。少なくとも１つの実施形態において、ハンドバッグカバーは、磁石の固定具を介して取付け可能な三つ折の構成部品である。【選択図】図４Ｂ
2010522018.tif 000002
【特許請求の範囲】
【請求項１】
底部および複数の側部を有する、土台のハンドバッグであって、前記底部および前記複数の側部が前記側部の各々と前記底部との間の少なくとも１つの端縁によって分離される、土台のハンドバッグと、
前記土台のハンドバッグの前記底部および前記複数の側部に適合するように構成された折畳み可能なハンドバッグカバーであって、各少なくとも１つの端縁に沿って折られるように構成される、折畳み可能なハンドバッグカバーと、
前記土台のハンドバッグおよび前記折畳み可能なハンドバッグカバーの両方に位置決めされる複数の固定要素であって、前記ハンドバッグカバーが前記土台のハンドバッグの周囲で折られたとき、前記ハンドバッグカバーを取り付けるための解放可能な取付け位置を提供する、複数の固定要素と
を備えるカスタマイズ可能なハンドバッグ装置。
【請求項２】
前記複数の固定要素の各々が、隣接する前記固定要素と機能において同一であり、
前記複数の固定要素の各々が、前記土台のハンドバッグまたは前記ハンドバッグカバーのうち１つに位置決めされる、請求項１に記載のカスタマイズ可能なハンドバッグ装置。
【請求項３】
前記複数の固定要素が、前記土台のハンドバッグへの前記ハンドバッグカバーの取付け前に、視界から隠されるように位置決めされる、請求項２に記載のカスタマイズ可能なハンドバッグ装置。
【請求項４】
前記複数の固定要素が磁石である、請求項２に記載のカスタマイズ可能なハンドバッグ装置。
【請求項５】
複数の異なるデザインに対応する複数の折り畳み可能なハンドバッグカバーを備える、請求項１に記載のカスタマイズ可能なハンドバッグ装置。
【請求項６】
前記複数の折畳み可能なハンドバッグカバーの各々が、各少なくとも１つの端縁に沿って折ることによって前記土台のハンドバッグの前記底部および対向する側部の周囲で折られるような大きさおよび形状に構成された、請求項５に記載のカスタマイズ可能なハンドバッグ装置。
【請求項７】
前記折畳み可能なハンドバッグカバーの各々が、前記土台のハンドバッグの前記底部および複数の対向する側部に適合する底部および対向する側部を有する三つ折の構成部品である、請求項６に記載のカスタマイズ可能なハンドバッグ装置。
【請求項８】
前記ハンドバッグカバーの各々の前記対向する側部の各々または底部が、前記土台のハンドバッグの少なくとも１つの側部または底部の寸法に一致する、請求項７に記載のカスタマイズ可能なハンドバッグ装置。
【請求項９】
ハンドバッグ用把持部の少なくとも１つの端部を解放可能に、前記土台のハンドバッグに対して取り付けるための、前記土台のハンドバッグに取り付けられる１つまたは複数の解放可能な把持部用クリップをさらに備える、請求項１に記載のカスタマイズ可能なハンドバッグ装置。
【請求項１０】
前記１つまたは複数の解放可能なクリップが、可撓性ヒンジを有する概ね環状の本体を含む、請求項９に記載のカスタマイズ可能なハンドバッグ装置。
【請求項１１】
ハンドバッグをカスタマイズするために構成されたハンドバッグ組み立てセットであって、
２つの対向する端部および２つの対向する側部を有する三角形の土台のハンドバッグであって、前記２つの対向する側部は、前記土台のハンドバッグの底部に隣接する少なくとも１つの継ぎ目に沿って、互いに向かってまたは互いから離れて枢動可能に延在する、三角形の土台のハンドバッグと、
前記土台のハンドバッグの上部に取り付けられる複数の解放可能なクリップと、
前記解放可能なクリップへの解放可能な取付けのために構成された複数の把持部であって、前記複数の把持部の各々が、異なる美観的デザインを備える、複数の把持部と、
前記土台のハンドバッグの周囲で折り曲げられ、前記土台のハンドバッグに解放可能に取り付けられる複数のハンドバッグカバーであって、複数のハンドバッグカバーの各々が、異なる美観的デザインを備える、複数のハンドバッグカバーと
を備え、
前記複数のハンドバッグカバーのいずれかの取付けにより、前記土台のハンドバッグの美観的デザインが、１つのハンドバッグカバーから次のハンドバッグカバーへと変えられる、ハンドバッグ組み立てセット。
【請求項１２】
前記折畳み可能なハンドバッグカバーの各々が、底部に隣接する折り目に沿って折られるように構成され、
前記ハンドバッグカバーの前記折り目が、前記土台のハンドバッグの少なくとも１つの端縁に整列するように構成され、
前記折畳み可能なハンドバッグカバーの各々が、前記土台のハンドバッグの形状に適合するように構成される、請求項１１に記載のハンドバッグ組み立てセット。
【請求項１３】
前記土台のハンドバッグおよび前記複数のハンドバッグカバーの各々が、前記ハンドバッグカバーと前記土台のハンドバッグとを一体に解放可能に取り付けるために複数の対応する固定要素を備える、請求項１１に記載のハンドバッグ組み立てセット。
【請求項１４】
前記複数の対応する固定要素の少なくとも一部が、磁石である、請求項１２に記載のハンドバッグ組み立てセット。
【請求項１５】
前記固定要素の全てが、磁石である、請求項１２に記載のハンドバッグ組み立てセット。
【請求項１６】
前記固定要素の各々が、前記土台のハンドバッグまたは対応する前記ハンドバッグカバーのライナー内に位置決めされ、前記固定要素が視界から隠される、請求項１４に記載のハンドバッグ組み立てセット。
【請求項１７】
第１のデザインを備えるハンドバッグカバーの対向する磁性を与えられた側部を、磁性を与えられた土台のハンドバッグから取り外す工程と、
第２のデザインを備える新しいハンドバッグカバーを特定する工程と、
前記磁性を与えられた土台のハンドバッグの対向する側部に前記新しいハンドバッグカバーの対向する側部を取り付ける工程であって、前記新しいハンドバッグカバーが、前記土台のハンドバッグの前記２つの対向する側部の磁力によって、前記土台のハンドバッグの複数の側部に付着させる、工程と
を含むハンドバッグをカスタマイズする方法。
【請求項１８】
前記新しいハンドバッグカバーを取り付ける工程が、前記新しいハンドバッグカバーを支持面に平坦な形態で位置決めする工程をさらに含む、請求項１７に記載の方法。
【請求項１９】
前記新しいハンドバッグカバーが、基部、および、少なくとも１つの継ぎ目に沿って前記基部に連結される２つの対向する側部を有する三つ折の構成部品である、請求項１８に記載の方法。
【請求項２０】
前記土台のハンドバッグの底部を、前記新しいハンドバッグカバーの前記底部に沿って前記平坦な形態で整列させる工程と、
前記新しいハンドバッグカバーの前記対向する側部を、前記新しいハンドバッグカバーの前記底部に対して、前記新しいハンドバッグカバーの前記対向する側部が、前記土台のハンドバッグの少なくとも１つの側部に付着するまで折り曲げる工程と
をさらに含み、
前記新しいハンドバッグカバーの各折り目が、前記土台のハンドバッグの前記底部と少なくとも１つの側部との間の少なくとも１つの端縁に整列するように構成される、請求項１９に記載の方法。
【発明の詳細な説明】
【技術分野】
【０００１】
本発明は、ハンドバッグをカスタマイズするためのシステム、方法および装置に関し、少なくとも部分的に、交換可能なハンドバッグの外側カバーに関する。
【背景技術】
【０００２】
ハンドバッグは、多様な物品を運ぶために有用であるにも拘らず、アクセサリー品と見做されることが多い。例えば、使用者が現在購入できるハンドバッグの型式の広範な多様性のために、使用者は機能性のためと同じくらい、特定の所望される美観のためにハンドバッグを購入または使用することを選択する場合がある。特に、特定の衣装に合わせるためだけにハンドバッグを変える人々さえ存在する。
【発明の概要】
【発明が解決しようとする課題】
【０００３】
ハンドバッグが様々な型式を成すという事実は、多数の様々な人々にとって有用な場合がある一方、幾つもの様々な独特な衣装の選択に合わせるために、多くの様々なハンドバッグを単に購入することは課題を生じる可能性がある。例えば、使用者は、購入される全ての多様なハンドバッグをどのように保存および／または保管するかという問題に直面する可能性がある。特に、（様々な衣装のために、またはその他の理由のために）幾つかのハンドバッグの購入を選択する人々は、ハンドバッグがクローゼット内の空間を占めることに気付くだろう。多くの場合、このことは、使用者に不必要にハンドバッグの排除についての決定を強いる可能性がある。
【０００４】
他の場合、幾つかの異なるハンドバッグを購入または使用することは、ハンドバッグの取替えに基づく、他の運搬の問題の原因となる可能性がある。例えば、使用者が、どの様な理由（例えば、環境、衣装等の変化）のためであっても異なるハンドバッグの使用を望む場合はいつでも、使用者は、１つのハンドバッグから他の１つに物品を移動する幾らかの時間を費やさなくてはならない可能性がある。これは、美観の目的を適えるためだけに、多様な程度の不便さを生じる結果となる可能性がある。
【０００５】
ハンドバッグのカバーを交換するための従来の仕組みは、使用が不便になりやすい。例えば、従来の装置には、土台のハンドバッグ全体を覆うように意図された交換可能なハンドバッグカバーを利用するものもある。大半の場合、これらの交換可能なカバーは、土台のハンドバッグの各外側表面を覆うように構成される。さらに、これらの交換可能なカバーは、土台のハンドバッグの寸法の周囲にぴたりと合うように構成される。ハンドバッグのカバーと土台のハンドバッグとの間の、このような特定の適合は、それに特有な一組の課題をもたらす可能性があり、それは、特別な大きさにされたハンドバッグのカバーは、それらが覆うために使用できる土台のハンドバッグの種類および大きさを制限するという事実などである。特に、所与のハンドバッグカバーに対して小さすぎるか、または、大きすぎる土台のハンドバッグは、ハンドバッグカバーが非常に頻繁に取れたり、または、土台のハンドバッグにまったく適合しない結果となる。土台のハンドバッグ内の物品の数によって、大きさおよび形状が大きく変化する可能性のある可撓性を有する土台のハンドバッグでは、適合についてのこのような不一致が、特に顕著となる可能性があることは、認識されるだろう。
【０００６】
それにより、このような従来の装置は、土台のハンドバッグの周囲に所与のハンドバッグのカバーを保持するための追加的な留め具を、追加的または代替的に含む場合が多い。このような留め具は、一般に複雑なマジックテープ（登録商標）装置、スナップ留めの要素、ジッパーの要素、または、さらにバックル留めする装置を含む。留め具には、これらよりもさらにより複雑なもの、および、ハンドバッグの各隅部に沿って組み立てられるハンドバッグのフレーム内の複数の固定要素を包含できるものがある。したがって、これらまたは他の同様な場合、ハンドバッグカバーを交換するために、使用者は通常、各バックルの要素を外し、各ジッパーの要素を開け、各所与のスナップの要素またはマジックテープ（登録商標）の要素を外し、またはそうでなければ、所与のフレームを解いて、そしてハンドバッグカバーを土台のハンドバッグから滑らせて外す必要があるだろう。より複雑な固定装置がハンドバッグカバーをよりしっかりと適所に保持できる一方、このような固定装置が交換可能なハンドバッグカバーを提供することによって、別の点で意図された利便性を損なう可能性もあることは、認識されるだろう。
【０００７】
これらの方針に沿って、他の従来の装置には、すでにハンドバッグに取り付けられた様々なパネルを使って、直ちに変更できるハンドバッグがある。例えば、少なくとも１つの従来の装置は、幾つかの様々なハンドバッグのパネルを取り付けられる環状のブラケットを利用する。この例では、使用者は、関心のあるパネルが適切な位置につくか、またはそうでなければ、ハンドバッグカバーの周囲に見えるようになるまで、一組の環に沿ってパネルを裏返すだけで、ハンドバッグのパネルすなわちカバーを変える。もちろん、この種類のカバーを交換する仕組みが、一度に全てのハンドバッグのカバーを持ち運ぶことによる余分な重量のために、少なくとも部分的に不便になる可能性があることは、認識されるだろう。さらに、このような装置は、所与のカバーすなわちパネルが土台のハンドバッグの比較的制限された部分のみを覆うため、ハンドバッグの全体の外観および雰囲気を、容易に感知できるように変えるようには思われないという理由で、所望に満たない。
【０００８】
よって、特に、高度なカスタマイズが望まれる場合、従来のハンドバッグには多数の問題がある。さらに、従来のハンドバッグカバーの交換装置には、対処できる多数の問題がある。
【課題を解決するための手段】
【０００９】
本発明の実施形態は、高度に効率的な仕方で任意の特定のハンドバッグの外観および雰囲気を簡単に変更するように構成されたシステム、方法および装置を提供する。例えば、本発明の少なくとも１つの実施形態は、外側カバー（「外殻」または「ハンドバッグカバー」とも称される）を交換するように構成された土台のハンドバッグを含む。特に、本発明による少なくとも１つの土台のハンドバッグは、磁石等の１つまたは複数の固定具を備え、その固定具は、１つの型式のカスタマイズされたハンドバッグカバーが簡単に取り外され、他の１つの型式のハンドバッグカバーと取り換えられることを容易にする。次いで、ハンドバッグカバーは、任意の別種の型式を使って、対応してカスタマイズでき、深刻な保管の懸念を提示しないほど十分に、概ね小さい（または圧縮可能である）。よって、使用者は、ハンドバッグカバーを変化させることによって、複数の異なる種類の土台のハンドバッグの型式を所有する利益を本質的に獲得でき、同時に、複数のハンドバッグに伴って必要とされる、別の付随するコストおよび／または保管用の空間を回避できる。
【００１０】
例えば、本発明の一実施形態によるカスタマイズ可能なハンドバッグ装置は、底部および複数の側部を有する土台のハンドバッグを包含でき、それらの底部および側部が、各側部と底部との間の少なくとも１つの端縁によって分離される。ハンドバッグ装置は、土台のハンドバッグの底部および複数の側部に適合するように構成された折畳み可能なハンドバッグカバーを包含することもできる。この場合、ハンドバッグカバーが、端縁に沿って折れるように構成される。加えて、ハンドバッグ装置は、土台のハンドバッグおよび折畳み可能なハンドバッグカバーの両方に位置決めされる複数の固定要素を包含できる。概して、複数の固定要素が、土台のハンドバッグの周囲でハンドバッグカバーが折られたときに、ハンドバッグカバーを取り付けるための解放可能な取付け位置を提供する。
【００１１】
同様に、本発明によるハンドバッグをカスタマイズするために構成されたハンドバッグ組み立てセットは、２つの対向する端部および２つの対向する側部を有する三角形の土台のハンドバッグを包含できる。２つの対向する側部は、土台のハンドバッグの底部に隣接する少なくとも１つの継ぎ目に沿って、互いに向かってまたは互いから離れて枢動可能に延在する。ハンドバッグ組み立てセットは、土台のハンドバッグの上部に取り付けられる複数の解放可能なクリップを包含することもできる。加えて、ハンドバッグ組み立てセットは、解放可能なクリップへの解放可能な取付けのために構成された複数の把持部を包含できる。この場合、複数の把持部の各々が、異なる美観的デザインを備える。さらに、ハンドバッグ組み立てセットは、土台のハンドバッグの周囲で折り曲げられ、土台のハンドバッグに解放可能に付着される複数のハンドバッグカバーを包含できる。この場合、ハンドバッグカバーの各々も、異なる美観的デザインを備える。このように、複数のハンドバッグカバーのいずれかの取付けが、１つのハンドバッグカバーから次のものへと土台のハンドバッグの美観的デザインを変える。
【００１２】
前述に加えて、本発明の一実施形態によるハンドバッグをカスタマイズする方法は、デザインを備えるハンドバッグカバーの対向する磁性を与えられた側部を、磁性を与えられた土台のハンドバッグから取り外すことを包含できる。その方法は、第２のデザインを備える新しいハンドバッグカバーを特定することを包含することもできる。加えて、その方法は、磁性を与えられた土台のハンドバッグの対向する側部に新しいハンドバッグカバーの対向する側部を取り付けることを包含できる。この例において、新しいハンドバッグカバーが、土台のハンドバッグの２つの対向する側部の磁力によって、土台のハンドバッグの複数の側部に付着する。
【００１３】
本発明の例示的実施形態の追加的な特徴および利点は、以下の説明に示され、部分的には説明から明白になるか、または、このような例示的実施形態の実施によって習得できる。このような実施形態の特徴および利点は、添付の特許請求の範囲に特に指摘される用具および組合せを使って実現化および獲得できる。これらおよび他の特徴は、以下の説明および添付の特許請求の範囲からさらに十分に明らかになるか、または、本明細書で以下に示されるような例示的実施形態の実施によって習得できる。
【００１４】
本発明の、上述および他の、利点および特徴が獲得できる仕方を説明するために、以上に簡潔に説明された本発明のさらに詳細な説明は、添付の図面に例示されるその詳細な実施形態を参照することによって示されるだろう。これらの図面が、本発明の典型的な実施形態のみを表し、したがって、その範囲を制限すると見做されるものではないことを理解した上で、付随する図面の使用を通して、本発明は、追加的な特異性および詳細と共に説明され、明らかにされるだろう。
【図面の簡単な説明】
【００１５】
【図１Ａ】例示的なハンドバッグカバーが土台のハンドバッグの周囲に取り付けられた本発明の一実施形態によるハンドバッグの図である。
【図１Ｂ】図１Ｂのような本発明の一実施形態によるハンドバッグの図であるが、異なる例示的なハンドバッグカバーが土台のハンドバッグの周囲に取り付けられている。
【図２Ａ】いかなるハンドバッグカバーも伴わない、本発明の一実施形態による土台のハンドバッグの斜視図である。
【図２Ｂ】土台のハンドバッグが閉じた位置にある図２Ａに示される土台のハンドバッグの側面図である。
【図２Ｃ】開いた位置にある図２Ｂの土台のハンドバッグの図である。
【図３】本発明の一実施形態による例示的なハンドバッグカバーの内側表面の平面図である。
【図４Ａ】ハンドバッグカバーが展開された位置または保管用の位置で示される、本発明の一実施形態によるハンドバッグカバーに隣接する土台のハンドバッグの斜視図である。
【図４Ｂ】ハンドバッグカバーが土台のハンドバッグの周囲に位置決めされ、取り付けられている、図４Ａに示される土台のハンドバッグおよびハンドバッグカバーの斜視図である。
【図５】本発明の一実施形態による、１つまたは複数の把持部が土台のハンドバッグから取外し可能である土台のハンドバッグの斜視図である。
【発明を実施するための形態】
【００１６】
本発明は、高度に効率的な仕方で任意の特定のハンドバッグの外観および雰囲気を簡単に変更するように構成されたシステム、方法および装置にわたる。例えば、本発明の少なくとも１つの実施形態は、（「外殻」または「ハンドバッグカバー」とも称される）外側カバーを交換するように構成された土台のハンドバッグを含む。特に、本発明による少なくとも１つの土台のハンドバッグは、磁石等の１つまたは複数の固定具を備え、その固定具は、１つの型式のカスタマイズされたハンドバッグカバーが簡単に取り外され、他の１つの型式のハンドバッグカバーに取り換えられることを容易にする。次いで、ハンドバッグカバーは、任意の別種の型式を使って、対応してカスタマイズでき、概ね十分に小さく（または圧縮可能で）、深刻な保管の懸念を提示しない。よって、使用者は、ハンドバッグカバーを変化させることによって、複数の異なる種類の土台のハンドバッグの型式を所有する利益を本質的に獲得でき、同時に、複数のハンドバッグに伴って必要とされる、別の付随する負担および／または保管用の空間を回避できる。
【００１７】
したがって、本発明の実施形態が、当技術分野における多数の様々な利点を提供することは、認識されるだろう。特に、本明細書においてさらに十分に理解されるように、本発明の実施形態は、所与のハンドバッグを効率的に、素早くカスタマイズするための幾つかの装置を含み、その装置はそのことを可能にするための幾つかの異なる構成部品およびデザインを含む。加えて、本発明の実施形態は、ハンドバッグを簡単に、効率的にカスタマイズするための新規な方法を含む。これらの装置、デザインおよび方法の各々は本明細書にさらに十分に説明される。
【００１８】
例えば、図１Ａおよび図１Ｂは、本発明の一実施形態による土台のハンドバッグを、異なるハンドバッグカバー（「外側カバー」とも称される）２０ａまたは２０ｂと共に作られたものとして例示する。特に、図１Ａは水玉模様のハンドバッグカバー２０ａによって覆われる土台のハンドバッグ１５を有するハンドバッグ１０ａを例示し、一方、図２Ａは、異なる型式のハンドバッグカバー、すなわちカバー２０ｂによって覆われ、それにより、ハンドバッグ１０ｂとなる同じ土台のハンドバッグ１５を示す。この特定の場合において、ハンドバッグカバー２０ｂは、（カバー２０ａとは異なり）効果的に単色で、ハンドバッグカバー２０ａには見られない細紐およびリボン等の他の装飾的要素をさらに備える。しかし、この特定のハンドバッグカバー２０のデザインは例示に過ぎず、任意の数のデザインおよび構成が、本明細書に説明される本発明の原理内で使用できることは、認識されるだろう。
【００１９】
いずれにせよ、図２Ａは、本発明の１つまたは複数の実施形態によるハンドバッグ１０が、少なくとも土台（すなわち「土台のハンドバッグ」）１５を本質的に備え、その土台１５には、１つまたは複数のハンドバッグカバー（２０）が適用／付加されるか、または、適用／付加できることを示す。加えて、図２Ａは、土台のハンドバッグ１５が、デザイン上本質的にピラミッド形であることを示す。例えば、図２Ａは、土台のハンドバッグ１５が、４つの隅部を有する本質的に平坦な底部１７から延出する４つの側部を本質的に備えることを示す。次いで、側部および底部の組合せは、ハンドバッグ１０が閉じた位置にある場合、少なくとも１つの面から見ると概ね三角形（例えば、図２Ｂ）を成す。
【００２０】
例えば、図２Ｂおよび図２Ｃは、土台のハンドバッグ１５の少なくとも１つの実施形態が比較的平坦な底部１７を備えることを示す。底部１７は複数の端部（例えば、１９）および側部（例えば、２３）を支持するのに十分な剛性を有する。加えて、図２Ａから図２Ｃは、側部／壁面２３ａおよび２３ｂも、形態において実質的に剛性を有し、本質的に平坦であることを示す。この特定の形態における結果として、側部／壁面２３ａおよび２３ｂは、端部１９ａおよび１９ｂと連結して、少なくとも部分的に底部１７によって直立した位置に支持される。特に、対向する端部１９ａおよび１９ｂは、少なくとも部分的に可撓性を有し、それによって、対向する側部２３ａと２３ｂとの間の連結と同様に、土台のハンドバッグ１５の拡張及び縮小（すなわち、壁面２３ａおよび２３ｂの互いに対する開閉、例えば、図２Ｂおよび図２Ｃ）も可能にする。よって、土台のハンドバッグ１５は、土台のハンドバッグ１５の内側に入れられるか、または、そこから取り出される物品を収容するように構成され、それによって、対向する側部２３ａおよび２３ｂは互いに向かってまたは互いから離れて枢動する。したがって、この形態において、土台のハンドバッグ１５は、事実上任意の平坦な表面上において、本質的に（例えば、図１Ａから図５に示すように）直立した位置に自立する。
【００２１】
図２Ａから図２Ｃは、土台のハンドバッグ１５が複数の固定要素３０を備え、固定要素３０が、少なくとも１つの実施形態において、典型的には磁石の要素を備えることをさらに示す。例示される実施形態において、磁石の固定要素３０の各々は、事実上角度にかかわらず、視界から効果的に隠されるように、土台のハンドバッグ１５の側部２３ａおよび２３ｂ内に位置付けられる。例えば、土台のハンドバッグ１５の壁面２３ａおよび２３ｂの各々は、基板（図示せず）および外側のライナー（すなわち、外側の図示される表面）を備えることができ、その基板は、その上に固定される磁石の固定要素３０を有し、その外側のライナーは磁石および基板の周囲に固定される。このように、この実施形態において、磁石の固定要素３０は視界から隠される。
【００２２】
もちろん、比較的強力であるが薄い磁石の固定要素３０の使用が、多数の異なる利点を提供できることは、認識されるだろう。このような例示的な磁石の要素の大きさの（すなわち、薄く、土台のハンドバッグの表面に対して突出しない）態様による少なくとも１つの利点は、それらが、土台のハンドバッグ１５自体の上に（すなわち、ハンドバッグカバーを伴わず）美観的に配置される滑らかで平坦な取付け接合面を土台のハンドバッグ１５に提供できることである。比較的強力であるか、または比較的多数の磁石を使用することによる少なくとも１つの他の利点は、本明細書で以下にさらに十分に説明されるように、これにより、ハンドバッグカバー２０への強力な取付けを可能にするために、土台のハンドバッグ１５の所与の外側表面を貫通して十分な引力がもたらされることである。
【００２３】
例えば、図２Ａは、土台のハンドバッグ１５が少なくとも３から４（またはそれ以上）の隠された、磁石の固定要素３０を備えることを示す。大半の場合、固定要素３０の数または種類は、対応するハンドバッグカバー２０に使用される固定要素の数または種類に対応し、それほど厳密な相関関係は要求されない。特に、製造者は、土台のハンドバッグ１５に使用される磁石の固定要素３０の数、大きさおよび寸法を、土台のハンドバッグ１５および／またはハンドバッグカバー２０における全体の保持／引力の強度、形状、または、他の美観的あるいは機能的な事項を含む、幾つもの異なる要素に根拠を置くことができる。さらに、製造者が、幾つかの実施形態において、土台のハンドバッグ１５の側部２３ａおよび２３ｂの外側の可視表面上に磁石の固定要素３０を使用できることは、認識されるだろう。
【００２４】
加えて、磁石の形態の固定要素３０（または３５）は固定要素の１つの種類に過ぎないことは、認識されるだろう。例えば、製造者は、マジックテープ（登録商標）の要素、スナップの要素、および／または、摩擦に基づく固定具の種類を含むが、それらに制限されない固定要素３０の他の形態を、追加的または代替的に使用できる。そして、製造者は、所与の固定具のデザインおよび機能によって、適切にハンドバッグカバー２０を引き付けることを確実にするための必要に応じて、任意の数または配置のこのような固定具を、土台のハンドバッグ１５およびハンドバッグカバー２０上に使用できる。例えば、製造者は、土台のハンドバッグ１５およびハンドバッグカバー２０の両方の上に、同数の対応するスナップに基づく要素を使用できる。対照的に、磁石に基づく固定具の場合と同様に、製造者は、土台のハンドバッグ１５およびハンドバッグカバー２０の両方の上に、任意の数および配置のマジックテープ（登録商標）に基づく固定具を、追加的または代替的に使用できる。さらに、製造者は、適切な付着をもたらすための必要に応じて、磁石、スナップ、およびマジックテープ（登録商標）の固定具の任意の組合せを使用できる。
【００２５】
さらに磁石に基づく固定具に関して、図３は、本発明の一実施形態によるハンドバッグカバー２０の内側表面を例示する。この例では、製造者は、ハンドバッグカバー２０の対向する端部３３ａおよび３３ｂ上に、またはその内部に、少なくとも３つの固定要素３５を位置決め、またはそうでなければ、固定している。例えば、土台のハンドバッグ１５と同様に、ハンドバッグカバー２０の内側の（図示された）表面は、基板に恒久的に固定される外側のライナーを備えることができ、その基板は、その上に位置付けられる磁石の固定要素３０を備える。したがって、ライナー内の磁石は、ライナーを貫通して磁力を及ぼす程に十分に強力であり、したがって、その磁石によって、ハンドバッグカバー２０は、土台のハンドバッグ１５の（固定要素３０の）対応する磁石を引き付けるか、あるいはその他の方法で、それに付着する。
【００２６】
こうして、土台のハンドバッグ１５と同様に、ハンドバッグカバー２０内に、比較的強力だが薄い磁石を固定要素３５として使用することが、ハンドバッグカバー２０および土台のハンドバッグ１５の組合せに、それらの間の滑らかで平坦な取付けを提供できることは、認識されるだろう。土台のハンドバッグ１５とハンドバッグカバー２０との間の平坦で継ぎ目がないように見えるこの取付けにより、結果的にもたらされるハンドバッグ１０の全体の美観が増大することは、認識されるだろう。例えば、十分に薄く、強力な磁石の固定要素３５（または、同様に形成された、もしくは機能する他の種類の固定要素）が使用される場合、土台１５およびカバー２０の組合せは、分離可能な構成部品の組合せよりは、単一のハンドバッグ１０のように見える。
【００２７】
外観におけるこのような単一性が、このようなバッグの美観、およびしたがって望ましい状態に関して、極めて大きな利点を提供できることは、認識されるだろう。さらに、使用者が、滑らかな、磁石の取付け接合面を使用して、任意の所与のハンドバッグカバー２０を取外しおよび付加できる容易性は、操作上の効率性に関して多数の利点を提供する。
【００２８】
土台のハンドバッグ１５およびハンドバッグカバー２０の構成部品のさらに他の特徴により、ハンドバッグ全体の効率性が増大し、より望ましい状態になる。例えば、図３は、本発明の実施形態によるハンドバッグカバー２０が、薄く、平坦な形態に広げられる一体の構成部品を本質的に備えることができることを示す。このような薄く、平坦な形状を有するものが容易に保管できることは、認識されるだろう。
【００２９】
加えて、図３（図４Ｂも参照）は、ハンドバッグカバー２０の少なくとも１つの実施形態が、対応する折り目または継ぎ目に沿って、底部２７の周囲で折ることのできる左側部３３ａおよび右側部３３ｂを備えることを示す。したがって、１つの実施形態では、図３のハンドバッグカバーは、「三つ折」のハンドバッグカバー２０と考えることができる。いずれにせよ、本明細書に例示または説明されるハンドバッグカバー２０は折り曲げられ、それにより、所与の土台のハンドバッグ１５の寸法またはデザインに適合するように構成される。例えば、図４Ａおよび図４Ｂに示されるように、各ハンドバッグカバーの底部２７は、土台のハンドバッグ１５の底部１７と直接整列する大きさおよび形状に構成される。加えて、カバー２０の底部２７に隣接する折り目及び継ぎ目は、土台のハンドバッグ１５の底部２７に隣接する底端縁と整列する。よって、例示されるハンドバッグカバー２０は、本質的に三角形の土台のハンドバッグ１５の形状の範囲に適合するように、特にデザインおよび形成される。
【００３０】
もちろん、本発明の少なくとも１つの実施形態において、ハンドバッグカバー２０の側部３３ａおよび３３ｂが、所与の土台のハンドバッグの側部２３ａおよび２３ｂに関して交換可能であることは、認識されるだろう。例えば、ハンドバッグカバー２０の側部３３ａは土台のハンドバッグ１５の側部２３ａまたは側部２３ｂに対して位置決めできる。さらに、ハンドバッグカバー２０の両側部３３の位置は、土台のハンドバッグ１５の任意の所与の横方向または水平方向の位置に関して変更できる。例えば、磁石またはマジックテープ（登録商標）の固定要素３０、３５を使用する土台のハンドバッグ１５およびハンドバッグカバー２０の一実施形態において、土台のハンドバッグ１５およびハンドバッグカバー２０における対応する固定具の間に十分な付着強度がある限りは、土台のハンドバッグ１５の各端縁との整列が完全であっても、不完全であっても、使用者は、側部３３ａおよび３３ｂを側部２３ａおよび２３ｂに対して、ほとんどどの空間的位置にも位置決めできる。素早く、非厳密に土台のハンドバッグ１５およびハンドバッグカバー２０を整列するこの機能が、所与の土台のハンドバッグ１５の装飾において、使用者にさらに追加的な創造性を与えることは、認識されるだろう。この多様性は、使用者が急いでいる場合、土台のハンドバッグ１５を素早く、しかし不完全に組み立てる際、使用者にある融通性および利便性をさらに与える。
【００３１】
図４Ｂに示されるように、土台のハンドバッグ１５およびハンドバッグカバー２０の組み立ては比較的簡単である。特に、図４Ａおよび図４Ｂは、ハンドバッグカバーが展開された、すなわち広げられた形態で、使用者が支持面にハンドバッグカバー２０（ａ）を単に置くことができることを示す。例えば、図４Ａは、ハンドバッグカバー２０ａが、土台のハンドバッグ１５に対して、デザインされた側部を上方に向けて、広げられることを示す。しかし、組み立て前に、使用者は内側表面を上方に向かせる。
【００３２】
例えば、図４Ｂは、使用者がハンドバッグカバー２０の内側表面を上方に向け、そして、ハンドバッグカバー２０ａの底部２７の上に土台のハンドバッグ１５の底部１７を整列させるか、又は他の方法で位置決めすることができることを示す。そして、使用者は、側部３３ａおよび３３ｂが土台のハンドバッグ１５の側部２３ａおよび２３ｂに接触するか、あるいはその他の方法で引き付けられるまで、部分２７との折り目又は継ぎ目に沿って、側部３３ａおよび３３ｂを折ること、または配置することができる。この形態において、ハンドバッグカバー２０の折り目又は継ぎ目は、底部１７に関して、土台のハンドバッグ１５の底端縁と整列する。いずれにせよ、前述のように、ハンドバッグの側部２３ａおよび２３ｂに対して、カバーの側部３３ａおよび３３ｂを上向きに折ることによって、固定要素３０および３５は係合する。例えば、磁力に関して、ハンドバッグカバー２０と土台のハンドバッグ１５との間の引力は、側部３３ａおよび３３ｂを側部２３ａおよび２３ｂに付着させる。この付着は、様々な異なる使用および付随する応力を経て、使用者が土台のハンドバッグ１５からハンドバッグカバー２０を単に剥がすまで、概ね維持されるだろう。
【００３３】
図５は、土台のハンドバッグ１５が、土台のハンドバッグの把持部（複数可）２５を取り外すか、または取り換えるための解放可能なクリップを含む、本発明の一実施形態による土台のハンドバッグ１５の他の一実施形態を例示する。例えば、図５は、土台のハンドバッグ１５が、１つまたは複数の解放可能な把持部用クリップ４０（例えば、カラビナ形式）を含むことができ、そのクリップは可撓性ヒンジ４３を有する概ね環状の本体４５から成ることを示す。図５は、ヒンジ４３が舌部４７に連結でき、これを使用者が環状の本体４５に関して押し下げるか、または他の方法で解放できることをさらに示す。結果として、使用者は解放可能なクリップ４０を押し込み、その際に使用者は所与の把持部２５の連結された端部を滑り出させることができる。もちろん、本発明の原理による他の種類の解放する仕組みが使用できる。
【００３４】
いずれにせよ、土台のバッグ１５から所与の把持部２５または一組の把持部を交換する機能が、本明細書に説明されるハンドバッグ１０に、追加的な構成上の可能性、および柔軟性をさらにもたらすことは、認識されるだろう。特に、把持部２５を交換する機能は、各バッグ１０に使用される様々な大きさおよび色の把持部、およびそれにより、単にバッグのカバー（複数可）２０をカスタマイズする以上のカスタマイズの異なる程度をさらに与える。
【００３５】
よって、本発明の１つまたは複数の実施形態による、異なるバッグを再デザイン、および再構成する様々な装置が実施できることは、認識されるだろう。例えば、所与のハンドバッグ１０の外観および雰囲気を交換するための少なくとも１つの装置は、土台のハンドバッグ１５、１つまたは複数のハンドバッグカバー２０、および、１つまたは複数の交換可能な把持部２５を備え、その把持部は、１つまたは複数の対応する解放可能な把持部用クリップ４０に取付けおよび／またはそこから取り外しするように構成される。この装置において、１つまたは複数のハンドバッグカバー２０は、土台のハンドバッグ１５上の固定具３０に対応する一連の固定具３５を備え、ハンドバッグカバーと土台のハンドバッグとの間の滑らかか、または精密な取付けをもたらす。１つの実施形態において、土台のハンドバッグが、１つのカバーを剥がし（またはそうでなければ、取り外し）、土台のハンドバッグに他の１つのハンドバッグカバーを簡単に付着させるだけで、広範囲のハンドバッグカバーについて交換できるように、装置は構成される。
【００３６】
少なくとも１つの実施形態において、上記の装置は、任意の数または種類の固定具とともに使用することもできる。例えば、少なくとも１つの実施形態において、土台のハンドバッグ１５およびハンドバッグカバー２０は、土台のハンドバッグ１５とハンドバッグカバー２０との間の取付け（例えば、付着および剥離する取付け機能）を容易にするように、対応する磁気固定要素を伴って構成される。このような一実施形態において、滑らかな、比較的継ぎ目のない取付け接合面を作るために、典型的には磁石は非常に薄い（すなわち、僅か数ミルの厚さ）。例えば、磁石（すなわち、固定要素３０、３５）は、土台のハンドバッグの壁面／側部、および、ハンドバッグカバー２０の内側表面の内に隠されるように位置付けられる。
【００３７】
しかし、追加的または代替的実施形態において、土台のハンドバッグ１５およびハンドバッグカバー（複数可）２０は、１つまたは複数の他の種類の固定要素を追加的または代替的に含む。例えば、本装置は、先に説明したように、マジックテープ（登録商標）の固定具、スナップに基づく固定具等を伴って構成できる。どちらの場合においても、固定具は、土台のハンドバッグ１５とハンドバッグカバー２０との間の取付け接合面が本質的に区別不可能で、構成部品の組合せが付属品を伴わない単一のハンドバッグのように見えるように構成される。
【００３８】
前述と同様に、および前述に加えて、本発明の一実施形態によるハンドバッグ組み立てセットは、少なくとも１つの土台のハンドバッグ１５を備える。ハンドバッグ組み立てセットは、複数の異なる型式および／または色を有する複数の取付け／取外し可能なハンドバッグカバー２０も備える。追加的または代替的実施形態において、ハンドバッグ組み立てセットは、複数のハンドバッグカバー２０の型式に対応する、複数の異なる型式を有する複数の取外しおよび再取付け可能な把持部をさらに備える。これらと共に、ハンドバッグ組み立てセットは、複数の交換可能で解放可能な把持部用クリップ４０をさらに備え、そのクリップはそこに可撓性ヒンジ４３を有する。少なくとも１つの実施形態において、土台のハンドバッグ１５およびハンドバッグカバー２０は、任意の１つのハンドバッグカバー２０に土台のハンドバッグ１５を取外し可能に取り付けるための複数の磁石の固定要素３０、３５を伴って、さらに構成される。
【００３９】
本発明は、その精神または本質的特長から逸脱することなく、他の特定の形態で実施できる。説明された実施形態は、あらゆる点で、例示的および非制限的であるとだけ見做されるものである。したがって、本発明の範囲は、前述の説明よりも添付の特許請求の範囲によって示される。特許請求の範囲と同等の意味および範囲に含まれる全ての変更は、特許請求の範囲内に包含されるものである。
【図１Ａ】
2010522018.tif 000003
【図１Ｂ】
2010522018.tif 000004
【図２Ａ】
2010522018.tif 000005
【図２Ｂ】
2010522018.tif 000006
【図２Ｃ】
2010522018.tif 000007
【図３】
2010522018.tif 000008
【図４Ａ】
2010522018.tif 000009
【図４Ｂ】
2010522018.tif 000010
【図５】
2010522018.tif 000011
【国際調査報告】
2010522018.tif 000012
2010522018.tif 000013